(57)【要約】【課題】表示部の動きの自由度を高めて表示部を活用した演出表現の幅を広げることができる舞台装置及び舞台装置の制御方法を提供する。【解決手段】複数の表示部３１が画像を表示する。少なくとも１つの支持部材３２が表示部３１を支持する。制御部が、複数の表示部３１が互いに所与の位置関係となるよう、少なくとも１つの表示部３１の位置を制御する。【選択図】図７
2010104720.tif 000002
【特許請求の範囲】
【請求項１】
画像を表示する複数の表示部と、
前記複数の表示部を支持する少なくとも１つの支持部材と、
前記複数の表示部が互いに所与の位置関係となるよう、少なくとも１つの前記表示部の位置を制御する制御手段と、
を含むことを特徴とする舞台装置。
【請求項２】
前記制御手段が、ユーザの操作を受け付けて、当該操作に応じた少なくとも１つの前記表示部の位置の制御を行う、
ことを特徴とする請求項１に記載の舞台装置。
【請求項３】
前記制御手段が、少なくとも１つの前記表示部を回動させる、
ことを特徴とする請求項１又は２に記載の舞台装置。
【請求項４】
前記制御手段が、少なくとも１つの前記表示部を、当該表示部の面に対して垂直な方向に対応する方向に移動させる、
ことを特徴とする請求項１から３のいずれか一項に記載の舞台装置。
【請求項５】
前記制御手段が、前記複数の表示部が一列に並ぶよう少なくとも１つの前記表示部の位置を制御する、
ことを特徴とする請求項１から４のいずれか一項に記載の舞台装置。
【請求項６】
前記支持部材が、部材同士を回動可能に接続する接続部を備え、
前記制御手段が、前記表示部の位置に基づいて算出される前記接続部に接続される部材間の角度を制御する、
ことを特徴とする請求項１から５のいずれか一項に記載の舞台装置。
【請求項７】
前記支持部材の数と前記表示部の数とが対応しており、
前記各支持部材の一端が当該支持部材に対応する前記表示部に接続されており、前記各支持部材の他端がステージに接続されている、
ことを特徴とする請求項１から６のいずれか一項に記載の舞台装置。
【請求項８】
前記支持部材が前記各表示部を背面から支持する、
ことを特徴とする請求項１から７のいずれか一項に記載の舞台装置。
【請求項９】
前記表示部には、前記舞台装置が用いられる舞台芸術の出演者が乗降可能な台が接続されている、
ことを特徴とする請求項１から８のいずれか一項に記載の舞台装置。
【請求項１０】
画像を表示する複数の表示部と、前記各表示部を支持する少なくとも１つの支持部材と、を備える舞台装置の制御方法であって、
前記複数の表示部が互いに所与の位置関係となるよう、少なくとも１つの前記表示部の位置を制御するステップ、を含む、
ことを特徴とする前記舞台装置の制御方法。
【発明の詳細な説明】
【技術分野】
【０００１】
本発明は、舞台装置及び舞台装置の制御方法に関する。
【背景技術】
【０００２】
近年、スタジアムや舞台で行われるコンサートや演劇などの舞台芸術では様々な演出が行われている。例えば、ステージ上に設けられたスクリーンやディスプレイなどの表示部に出演者を大きく映し出して、ステージから離れた場所からでも出演者が演奏、歌唱、演技などをしている様子を観客が見ることができるような演出や、表示部に様々な映像や画像を映し出すような演出などが行われている。
【発明の開示】
【発明が解決しようとする課題】
【０００３】
従来の舞台芸術では、その実演中にディスプレイやスクリーンなどの表示部を移動させることが困難であった。具体的には、例えば、表示部を移動させることができる方向が特定の方向（例えば、ステージの縁に沿った方向など）に限られていた。そのため、表示部を活用した演出表現の幅に限界が生じてしまい、観客の思いもよらないような演出を行うことが困難であった。ここで、表示部の動きの自由度を向上することができれば、演出表現の幅が広がり、観客の思いもよらないような演出も実現可能となる。
【０００４】
本発明は、上記課題に鑑みてなされたものであって、表示部の動きの自由度を高めて表示部を活用した演出表現の幅を広げることができる舞台装置及び舞台装置の制御方法を提供することを目的とする。
【課題を解決するための手段】
【０００５】
上記課題を解決するために、本発明に係る舞台装置は、画像を表示する複数の表示部と、前記複数の表示部を支持する少なくとも１つの支持部材と、前記複数の表示部が互いに所与の位置関係となるよう、少なくとも１つの前記表示部の位置を制御する制御手段と、を含むことを特徴とする。
【０００６】
また、本発明に係る舞台装置の制御方法は、画像を表示する複数の表示部と、前記各表示部を支持する少なくとも１つの支持部材と、を備える舞台装置の制御方法であって、前記複数の表示部が互いに所与の位置関係となるよう、少なくとも１つの前記表示部の位置を制御するステップ、を含むことを特徴とする。
【０００７】
本発明によると、複数の表示部が互いに所与の位置関係となるよう表示部の位置が制御されるので、表示部の動きの自由度が高まり、表示部を活用した演出表現の幅を広げることができる。
【０００８】
本発明の一態様では、前記制御手段が、ユーザの操作を受け付けて、当該操作に応じた少なくとも１つの前記表示部の位置の制御を行うことを特徴とする。こうすれば、ユーザの操作に基づく表示部の位置の制御が可能となるので、ユーザの所望のタイミングでの表示部の位置の制御が可能となる。
【０００９】
また、本発明の一態様では、前記制御手段が、少なくとも１つの前記表示部を回動させることを特徴とする。こうすれば、表示部が回動するので、表示部の動きの自由度がさらに高まり、演出表現の幅をさらに広げることができる。
【００１０】
また、本発明の一態様では、前記制御手段が、少なくとも１つの前記表示部を、当該表示部の面に対して垂直な方向に対応する方向に移動させることを特徴とする。こうすれば、表示部が面に対して垂直な方向に対応する方向に移動するので、表示部の動きの自由度がさらに高まり、演出表現の幅をさらに広げることができる。
【００１１】
また、本発明の一態様では、前記制御手段が、前記複数の表示部が一列に並ぶよう少なくとも１つの前記表示部の位置を制御することを特徴とする。こうすれば、表示部の位置の制御により、複数の表示部により構成される大画面を構成することができるようになる。
【００１２】
また、本発明の一態様では、前記支持部材が、部材同士を回動可能に接続する接続部を備え、前記制御手段が、前記表示部の位置に基づいて算出される前記接続部に接続される部材間の角度を制御することを特徴とする。こうすれば、部材間の角度の制御による表示部の位置の制御が可能となる。
【００１３】
また、本発明の一態様では、前記支持部材の数と前記表示部の数とが対応しており、前記各支持部材の一端が当該支持部材に対応する前記表示部に接続されており、前記各支持部材の他端がステージに接続されていることを特徴とする。こうすれば、各表示部に対応する支持部材をそれぞれステージに接続して舞台装置を構成することができる。
【００１４】
また、本発明の一態様では、前記表示部には、前記舞台装置が用いられる舞台芸術の出演者が乗降可能な台が接続されていることを特徴とする。こうすれば、表示部の位置の変化とともに、出演者の位置を移動させることができる。
【発明を実施するための最良の形態】
【００１５】
以下、本発明の一実施形態について図面に基づき詳細に説明する。
【００１６】
図１は、本実施形態に係る舞台装置１の構成の一例を示す図である。図１に例示するように、本実施形態に係る舞台装置１は、１つの情報処理装置２と、複数の舞台機材３（３−１〜３−ｎ）と、を備えている。情報処理装置２と、各舞台機材３とは、ローカル・エリア・ネットワーク（ＬＡＮ）などのネットワークに接続されており、情報処理装置２と、各舞台機材３とは互いに通信可能になっている。
【００１７】
図２は、本実施形態に係る情報処理装置２のハードウェア構成の一例を示す図である。図２に例示するように、本実施形態に係る情報処理装置２は、制御部２０、記憶部２１、ユーザインタフェース（ＵＩ）部２２、通信部２３、を含んで構成される。制御部２０、記憶部２１、ＵＩ部２２、通信部２３は、バス２４を介して接続される。
【００１８】
制御部２０はＣＰＵ等のプログラム制御デバイスであり、情報処理装置２にインストールされるプログラムに従って動作する。なお、このプログラムは、例えば、ＣＤ−ＲＯＭ、ＤＶＤ−ＲＯＭ等の情報伝達媒体を介して、あるいは、インターネット等の通信ネットワークを介して情報処理装置２に供給される。
【００１９】
記憶部２１は、ＲＡＭ等の記憶素子やハードディスクなどである。記憶部２１には、制御部２０によって実行されるプログラムなどが記憶される。また、記憶部２１は、制御部２０のワークメモリとしても動作する。
【００２０】
ＵＩ部２２は、ディスプレイ、マイク、スピーカー、ボタンなどであり、利用者が行った操作の内容や、利用者が入力した音声を、制御部２０に出力する。また、ＵＩ部２２は、制御部２０から入力される指示に従って情報を表示出力したり音声出力したりする。
【００２１】
通信部２３は、例えば、ネットワークインタフェースカード（ＮＩＣ）などであり、制御部２０から入力される指示に従って、ネットワークを介して、舞台機材３などへ情報を送信する。また、この通信部２３は、ネットワークを介して受信される情報を制御部２０に出力する。
【００２２】
図３は、本実施形態に係る舞台機材３の構成の一例を示す図である。図４は、図３に例示する舞台機材３の正面図の一例を示す図である。図５は、図３に例示する舞台機材３の側面図の一例を示す図である。
【００２３】
図３、図４及び図５に例示するように、本実施形態に係る舞台機材３は、制御部３０と、表示部３１と、支持部材３２と、通信部３３と、を含んでいる。
【００２４】
通信部３３は、例えば、ネットワークインタフェースカード（ＮＩＣ）などであり、ネットワークを介して受信される信号を制御部３０や表示部３１に出力する。
【００２５】
表示部３１は、例えば、ＬＥＤや液晶ディスプレイなどであり、通信部３３から出力される信号や情報に基づいて画像を生成して、その画像を表示する。具体的には、例えば、情報処理装置２の制御部２０が動画像を示すデータを舞台機材３へ送信すると、舞台機材３の通信部３３がこのデータを受信する。そして、舞台機材３の通信部３３は、このデータを表示部３１へ出力する。そして、表示部３１は、舞台機材３の通信部３３から出力されるデータに基づいて生成される画像を表示する。
【００２６】
支持部材３２は、表示部３１を支持する部材である。支持部材３２は、例えば、金属製であり、表示部３１をその背面から支持する。本実施形態では、支持部材３２は、ステージ４上にボルトなどにより固定されている。また、本実施形態に係る支持部材３２は、トラス構造である２つの柱部３２ａ（第１柱部３２ａ−１及び第２柱部３２ａ−２）、及び、部材同士を回動可能に接続する３つの接続部３２ｂ（第１接続部３２ｂ−１、第２接続部３２ｂ−２及び第３接続部３２ｂ−３）を含んでいる。第１接続部３２ｂ−１は、表示部３１と、第１柱部３２ａ−１とを回動可能に接続する。第１柱部３２ａ―１は、第１接続部３２ｂ−１から第２接続部３２ｂ−２まで延伸している。第２接続部３２ｂ−２は、第１柱部３２ａ−１と第２柱部３２ａ−２とを回動可能に接続する。第２柱部３２ａ−２は、第２接続部３２ｂ−２から第３接続部３２ｂ−３まで延伸している。第３接続部３２ｂ−３は、第２柱部３２ａ−２とステージ４とを回動可能に接続する。なお、支持部材３２は、金属製である必要はない。
【００２７】
制御部３０は、表示部３１の位置を制御する。本実施形態では、制御部３０は、具体的には、例えば、モータ、空気圧・油圧アクチュエータなどのアクチュエータやアクチュエータを駆動させる駆動回路などによって実現されている。なお、制御部３０が、ＣＰＵ素子、メモリ素子、Ｉ／Ｏ素子などを含むマイクロコンピュータを含んでいても構わない。そして、本実施形態では、制御部３０は、例えば、接続部３２ｂの内部に設けられている。
【００２８】
情報処理装置２の制御部２０は、表示部３１の位置を制御する制御信号（例えば、表示部３１が配置されるべき位置及び向きに基づいて算出される、各接続部３２ｂが回動すべき角度を示す信号）を情報処理装置２の通信部２３、及び、ネットワークを経由して、舞台機材３に送信する。そして、舞台機材３の通信部３３は、受信する制御信号を制御部３０に出力する。制御部３０は、支持部材３２の位置の制御（具体的には、例えば、接続部３２ｂの回動制御）を行う。接続部３２ｂの回動制御は、具体的には、例えば、公知のアクチュエータ制御技術などを用いて実現される。このことによって、支持部材３２間の位置関係が変更される。そして、このことによって、表示部３１の位置が変更される。このように、本実施形態では、制御部３０は、接続部３２ｂに接続される部材間の角度を制御する。なお、制御部３０が、受け付けるディジタル信号である制御信号をアナログ信号に変換した上で、このアナログ信号に基づいて、支持部材３２の位置の制御を行ってもよい。
【００２９】
本実施形態では、制御部３０は、表示部３１を回動させる。具体的には、例えば、制御部３０が、第１接続部３２ｂ−１を回動させることにより、表示部３１の、第１柱部３２ａ−１に対する向きが、上向き４０Ｕ、下向き４０Ｄ、左向き４０Ｌ、右向き４０Ｒなどへと変化する。また、制御部３０が、第１接続部３２ｂ−１を回動させることにより、表示部３１が、舞台機材３正面から向かって時計回りの向き４１Ｃや、反時計回りの向き４１Ｕに回動する。このように、第１接続部３２ｂ−１は、少なくとも２つの軸を中心として回動可能になっている。
【００３０】
また、制御部３０が、第２接続部３２ｂ−２を回動させることにより、第２柱部３２ａ−２に対する、第１柱部３２ａ−１の向きが上向き４２Ｕや下向き４２Ｄに変化する。このようにして、制御部３０は、表示部３１を、表示部３１の面に対して垂直な方向に対応する方向に移動させる。こうすれば、例えば、表示部３１をステージ４から観客席へとせりだす動きを実現することができる。このようにして、観客が、表示部３１に表示されている画像や映像が迫ってくる迫力を感じることができるという演出効果を得ることができる。
【００３１】
また、制御部３０が、第３接続部３２ｂ−３を回動させることにより、第２柱部３２ａ−２のステージ４に対する向きが上向き４３Ｕ、あるいは、下向き４３Ｄへと変化する。また、本実施形態では、第３接続部３２ｂ−３は、ステージ４に対して垂直な方向を軸として第２柱部３２ａ−２とステージ４とを回動可能に接続している。そして、制御部３０が、この接続部３２ｂを回動させることにより、舞台機材３の向きが、舞台機材３正面から向かって時計回りの向き４４Ｃや、反時計回りの向き４４Ｕに回動する。このように、本実施形態では、第３接続部３２ｂ−３は、少なくとも２つの軸を中心として回動可能になっている。
【００３２】
このように、本実施形態では、制御部３０が、接続部３２ｂを所定のタイミングで回動させることができる。そのため、制御部３０は、支持部材３２や表示部３１の位置を時間の経過に応じて様々に変化させることができる。このようにして、本実施形態では、表示部３１の動きの自由度を高めることができる。そのため、本実施形態では、表示部３１を活用した演出表現の幅を広げることができる。
【００３３】
なお、支持部材３２に含まれる柱部３２ａや接続部３２ｂの連結関係は、上記実施形態には限定されない。また、接続部３２ｂは、上述の説明とは異なる軸を中心として回動可能になっていてもよい。例えば、制御部３０が、第２接続部３２ｂ−２を回動させて、第２柱部３２ａ−２に対する、第１柱部３２ａ−１の左右方向の向きを変化させるようにしてもよい。また、接続部３２ｂの回動の自由度は、上述の記載には限定されない。また、上述の回動制御は制御部３０による制御の一例であり、上述制御とは異なる制御を制御部３０が行ってもよい。また、上述のすべての制御を制御部３０が行う必要はない。
【００３４】
図６、図７、及び、図８は、本実施形態に係る５つの舞台機材３が、例えば、コンサートなどの舞台芸術が行われているステージ４上に配置されている様子の一例を示す図である。なお、ステージ４上に配置される舞台機材３の数は５つに限定されない。図６、図７、及び、図８に例示するように、本実施形態に係る舞台装置１では、支持部材３２の数と表示部３１の数が対応している。具体的には、支持部材３２の数と表示部３１の数がともに５つである。また、各支持部材３２の一端が支持部材３２に対応する表示部３１に接続されており、各支持部材３２の他端がステージ４に接続されている。
【００３５】
図６に例示するように、本実施形態では、制御部３０は、例えば、表示部３１をステージ４近くにまで下ろすことができる。そして、例えば、出演者５（例えば、歌手）がステージ４上で歌っている最中に、情報処理装置２の制御部２０が、カメラ（図示せず）によって撮影されている別の出演者５（例えば、演奏家）などの映像を表示部３１に出力させることができる。このようにして、複数の出演者５が一体となってステージでパフォーマンスを演じているかのような演出効果を実現することができる。
【００３６】
また、図７に例示するように、制御部３０は、複数の表示部３１が縦方向（高さ方向）に並ぶよう、表示部３１の位置を制御することができる。そして、情報処理装置２の制御部２０が、上側に配置された表示部３１に、ステージ４上で歌っている出演者５の上半分の映像を表示させ、下側に配置された表示部３１に、ステージ４上で歌っている歌手の上半分の映像を表示させてもよい。このようにして、ステージ４から遠く離れた観客が、表示部３１に大きく映された歌手が歌っている様子を楽しむことができるという演出効果を実現することができる。このように、制御部３０が、複数の表示部３１が一列（もちろん、横一列でもよい）に並ぶよう、少なくとも１つの表示部３１の位置を制御するようにしてもよい。
【００３７】
また、図８に例示するように、制御部３０が表示部３１を横向きに回動させることによって、横に並んだ歌手が歌っている様子を中央の表示部３１上に表示することができる。
【００３８】
上述のように、制御部３０は、複数の表示部３１が互いに所与の位置関係となるよう表示部３１の位置を制御する。このようにすることで、例えば上述の演出効果のような、従来では困難であった演出効果を得ることができる。
【００３９】
また、例えば、コンサートが行われている間に、情報処理装置２のＵＩ部２２をユーザ（演出家やオペレータなど）が操作するようにしてもよい。そして、情報処理装置２の制御部２０がユーザによる操作信号をＵＩ部２２から取得して、この操作信号に基づく、表示部３１の位置の制御信号を生成するようにしてもよい。そして、情報処理装置２の制御部２０が、この操作信号に基づいて、例えば、各接続部３２ｂが回動すべき角度を示す制御信号を生成して、舞台機材３に出力するようにしてもよい。そして、舞台機材３の制御部３０がこの制御信号を受け付けて、この制御信号に基づいて、支持部材３２や表示部３１の位置を制御するようにしてもよい。このように、制御部３０が、ユーザの操作を受け付けて、この操作に応じた表示部３１の位置の制御を行うようにしてもよい。こうすれば、演出家やオペレータによる操作のタイミングに応じた表示部３１の位置の制御を実現することができる。
【００４０】
なお、本発明は上記実施形態に限定されるものではない。
【００４１】
例えば、図９に例示するように、表示部３１に、舞台装置１が用いられる舞台芸術（例えば、コンサート）の出演者５が乗降可能な台（例えば、足場６）が接続されていてもよい。なお、足場６の代わりに、出演者５が乗降可能ないすやゴンドラなどが接続されていてもよい。
【００４２】
また、例えば、情報処理装置２の制御部２０が、複数の表示部３１の位置の制御を一括で行うようにしても、各舞台機材３が備える制御部３０がそれぞれ、各表示部３１の位置の制御を行うようにしてもよい。
【００４３】
また、例えば、情報処理装置２に予めインストールされた制御プログラムを、情報処理装置２の制御部２０で実行することによって、例えば、舞台機材３の制御部３０に対して、各時刻において接続部３２ｂが回動する角度を示す信号を出力して、表示部３１の位置の制御を行うようにしてもよい。また、舞台機材３が備えるメモリなどの記憶装置に予めインストールされた制御プログラムを、各舞台機材３が備える制御部３０で実行することによって、各接続部３２ｂの各時刻における回動角度などを制御して、表示部３１の位置の制御を行うようにしてもよい。
【００４４】
また、例えば、複数の舞台機材３が、ステージ４の縁方向に一列に並ぶようにして、ステージ４上に配置されていてもよい。また、例えば、複数の舞台機材３が、ステージ４の正面方向に向かって弧を描くようにして、ステージ４上に配置されていてもよい。
【００４５】
また、例えば、プラスチックチューブ製の支持部材３２が表示部３１を支持するようにしてもよい。そして、制御部３０が、この支持部材３２の曲率などを制御することにより、表示部３１の位置を制御するようにしてもよい。
【００４６】
また、図１０に例示するように、枝分かれした１つの支持部材３２によって複数の表示部３１を支持するようにしてもよい。そして、それぞれの枝３２ｃが、互いに異なる表示部３１を支持するようにしてもよい。
【図面の簡単な説明】
【００４７】
【図１】本発明の一実施形態に係る舞台装置の構成の一例を示す図である。
【図２】本発明の一実施形態に係る情報処理装置のハードウェア構成の一例を示す図である。
【図３】本発明の一実施形態に係る舞台機材の構成の一例を示す図である。
【図４】図３に例示する舞台機材の正面図の一例を示す図である。
【図５】図３に例示する舞台機材の側面図の一例を示す図である。
【図６】本発明の一実施形態に係る５つの舞台機材がステージ上に配置されている様子の一例を示す図である。
【図７】本発明の一実施形態に係る５つの舞台機材がステージ上に配置されている様子の別の一例を示す図である。
【図８】本発明の一実施形態に係る５つの舞台機材がステージ上に配置されている様子のさらに別の一例を示す図である。
【図９】本発明の一実施形態に係る足場が接続されている舞台機材の一例を示す図である。
【図１０】本発明の別の実施形態に係る舞台機材がステージ上に配置されている様子の一例を示す図である。
【符号の説明】
【００４８】
１  舞台装置、２  情報処理装置、３  舞台機材、４  ステージ、５  出演者、６  足場、２０  制御部、２１  記憶部、２２  ユーザインタフェース（ＵＩ）部、２３  通信部、２４  バス、３０  制御部、３１  表示部、３２  支持部材、３２ａ  柱部、３２ｂ  接続部、３２ｃ  枝、３３  通信部、４０Ｕ  上向き、４０Ｄ  下向き、４０Ｌ  左向き、４０Ｒ  右向き、４１Ｃ  時計回りの向き、４１Ｕ  反時計回りの向き、４２Ｕ  上向き、４２Ｄ  下向き、４３Ｕ  上向き、４３Ｄ  下向き。
【図１】
2010104720.tif 000003
【図２】
2010104720.tif 000004
【図３】
2010104720.tif 000005
【図４】
2010104720.tif 000006
【図５】
2010104720.tif 000007
【図６】
2010104720.tif 000008
【図７】
2010104720.tif 000009
【図８】
2010104720.tif 000010
【図９】
2010104720.tif 000011
【図１０】
2010104720.tif 000012
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
映像を表示する複数の表示部と、
前記複数の表示部を支持する少なくとも１つの支持部材と、
前記複数の表示部が互いに所与の位置関係となるよう、少なくとも１つの前記表示部の位置を制御する位置制御手段と、
前記各表示部に映像を表示させる映像制御手段と、
を含み、
前記各支持部材が、ステージから延伸して前記複数の表示部のうちのいずれかの表示部を背面から支持して、
前記各支持部材が、柱部と、前記柱部の先端部に設けられた、前記表示部を前記柱部に対して回動可能に接続する第１接続部と、前記柱部の基端部に設けられた、前記柱部を回動可能に接続する第２接続部と、を備え、
前記位置制御手段が、前記表示部が前記柱部に対して第１の方向に回動するよう、前記表示部の位置に基づいて算出される、前記第１接続部に接続される前記柱部と前記表示部との間の角度を制御して、
前記位置制御手段が、前記柱部が前記第１の方向とは異なる第２の方向に回動するよう、前記表示部の位置に基づいて算出される、前記第２接続部に接続される部材間の角度を制御して、
前記位置制御手段が、前記複数の表示部のうちの第１の表示部と第２の表示部とが並ぶ第１の配置となるよう少なくとも１つの前記表示部の位置を制御して、
前記位置制御手段が、前記第１の表示部と前記第２の表示部とが並ばない第２の配置となるよう少なくとも１つの前記表示部の位置を制御して、
前記映像制御手段が、前記第１の表示部と前記第２の表示部とが前記第１の配置となっている際に、所定の映像の一部を第１の表示部に表示させつつ、前記所定の映像の残部を前記第２の表示部に表示させ、
前記映像制御手段が、前記第１の表示部と前記第２の表示部とが前記第２の配置となっている際に、前記第１の表示部と前記第２の表示部とに互いに異なる映像を表示させる、
ことを特徴とする舞台装置。
【請求項２】
前記制御手段が、ユーザの操作を受け付けて、当該操作に応じた少なくとも１つの前記表示部の位置の制御を行う、
ことを特徴とする請求項１に記載の舞台装置。
【請求項３】
前記制御手段が、少なくとも１つの前記表示部を回動させる、
ことを特徴とする請求項１又は２に記載の舞台装置。
【請求項４】
前記制御手段が、少なくとも１つの前記表示部を、当該表示部の面に対して垂直な方向に対応する方向に移動させる、
ことを特徴とする請求項１から３のいずれか一項に記載の舞台装置。
【請求項５】
前記支持部材の数と前記表示部の数とが対応しており、
前記各支持部材の一端が当該支持部材に対応する前記表示部に接続されており、前記各支持部材の他端がステージに接続されている、
ことを特徴とする請求項１から４のいずれか一項に記載の舞台装置。
【請求項６】
前記表示部には、前記舞台装置が用いられる舞台芸術の出演者が乗降可能な台が接続されている、
ことを特徴とする請求項１から５のいずれか一項に記載の舞台装置。
【請求項７】
映像を表示する複数の表示部と、前記複数の表示部を支持する少なくとも１つの支持部材と、を備える舞台装置の制御方法であって、
前記各支持部材が、ステージから延伸して前記複数の表示部のうちのいずれかの表示部を背面から支持して、
前記各支持部材が、柱部と、前記柱部の先端部に設けられた、前記表示部を前記柱部に対して回動可能に接続する第１接続部と、前記柱部の基端部に設けられた、前記柱部を回動可能に接続する第２接続部と、を備え、
前記複数の表示部が互いに所与の位置関係となるよう、少なくとも１つの前記表示部の位置を制御する位置制御ステップと、
前記各表示部に映像を表示させる映像制御ステップと、を含み、
前記位置制御ステップが、
前記表示部が前記柱部に対して第１の方向に回動するよう、前記表示部の位置に基づいて算出される、前記第１接続部に接続される前記柱部と前記表示部との間の角度を制御するステップと、
前記柱部が前記第１の方向とは異なる第２の方向に回動するよう、前記表示部の位置に基づいて算出される、前記第２接続部に接続される部材間の角度を制御するステップと、
前記複数の表示部のうちの第１の表示部と第２の表示部とが並ぶ第１の配置となるよう少なくとも１つの前記表示部の位置を制御するステップと、
前記第１の表示部と前記第２の表示部とが並ばない第２の配置となるよう少なくとも１つの前記表示部の位置を制御するステップと、を含み、
前記映像制御ステップが、
前記第１の表示部と前記第２の表示部とが前記第１の配置となっている際に、所定の映像の一部を第１の表示部に表示させつつ、前記所定の映像の残部を前記第２の表示部に表示させるステップと、
前記第１の表示部と前記第２の表示部とが前記第２の配置となっている際に、前記第１の表示部と前記第２の表示部とに互いに異なる映像を表示させるステップと、
を含むことを特徴とする前記舞台装置の制御方法。
【手続補正２】
【補正対象書類名】明細書
【補正対象項目名】００３６
【補正方法】変更
【補正の内容】
【００３６】
また、図７に例示するように、制御部３０は、複数の表示部３１が縦方向（高さ方向）に並ぶよう、表示部３１の位置を制御することができる。そして、情報処理装置２の制御部２０が、上側に配置された表示部３１に、ステージ４上で歌っている出演者５の上半分の映像を表示させ、下側に配置された表示部３１に、ステージ４上で歌っている歌手の下半分の映像を表示させてもよい。このようにして、ステージ４から遠く離れた観客が、表示部３１に大きく映された歌手が歌っている様子を楽しむことができるという演出効果を実現することができる。このように、制御部３０が、複数の表示部３１が一列（もちろん、横一列でもよい）に並ぶよう、少なくとも１つの表示部３１の位置を制御するようにしてもよい。